(57)【要約】【課題】印刷停止中に予熱板上の用紙が収縮し、予熱板上にない用紙との境界に発生する用紙の歪を原因として発生する用紙シワの発生を防止する。【解決手段】予熱板上にあった用紙と予熱板上に無かった用紙の境界部の歪を矯正する案内板を設置する。これにより、用紙が加圧ローラと加熱ローラの圧接部に入る前に用紙の歪みが無くなる。【選択図】          図１
2004252239.tif 000002
【特許請求の範囲】
【請求項１】
用紙を加熱してトナーを定着させる加熱ローラと、加熱ローラと対になって用紙を加圧する加圧ローラと、前記加熱ローラ及び加圧ローラに対し用紙の搬送方向上流に設置され、用紙に予熱を与える予熱板とを有する連続用紙電子写真印刷装置の定着装置において、
前記加熱ローラ及び加圧ローラによる圧接部と前記予熱板との間に、用紙幅以上の幅を有する案内板を設けたことを特徴とする連続用紙電子写真印刷装置の定着装置。
【請求項２】
前記案内板は、予熱板の端部に設けられたことを特徴とする請求項１記載の連続用紙電子写真印刷装置の定着装置。
【請求項３】
前記案内板は、予熱板と用紙とが摺動する面よりも用紙側に突出し、且つ用紙と当接する面の形状が曲面を有することを特徴とする請求項２記載の連続用紙電子写真印刷装置の定着装置。
【請求項４】
加熱ローラおよび加圧ローラの回転により張力を増した用紙の張力により、用紙と接する予熱板の端面と同じ面と、前記案内板の用紙と当接する面とが同一平面となる剛性を有する案内板であることを特徴とする請求項３記載の連続用紙電子写真印刷装置の定着装置。
【請求項５】
前記定着装置を備えることを特徴とする請求項１乃至４記載の連続用紙電子写真印刷装置。
【発明の詳細な説明】
【０００１】
【発明の属する技術分野】
本発明は、連続用紙電子写真式印刷装置の定着装置に関するものである。
【０００２】
【従来の技術】
従来の電子写真式印刷装置の定着装置について説明する。
【０００３】
用紙上のトナーを定着する工程として、まず、予熱板により用紙の裏面から用紙とトナー像を加熱する。その後、加熱ローラと加圧ローラとの圧接部で、用紙とトナー像を加圧加熱する。
【０００４】
その際、印刷停止中に予熱板上にある用紙が熱収縮し、予熱板上にない用紙との境界部に歪が生じ、これを起因に、加熱ローラと加圧ローラの圧接部を用紙が通過する際に用紙シワが発生してしまう。
【０００５】
そのため、従来の連続紙用電子写真式印刷装置では、前記用紙シワを防ぐ手段として、複写機等でも一般的に行われている加熱ローラと加圧ローラのどちらか一方、若しくは両方を、両端部が太く中央が細い形状（以降、逆クラウンと呼ぶ）としている（例えば、特許文献１、特許文献２参照。）。
【０００６】
この逆クラウンにより、印刷中に加熱ローラと加圧ローラの圧接部では用紙を中央から両端部へ引張る力が生じ、停止中にできた用紙の歪を矯正し、シワを抑止している。この逆クラウンは、両端部に対し中央部がより細ければ、シワ矯正の効果は大きくなるものの、二つの不具合がある。
【０００７】
第一に、定着部での印刷品質の劣化である。中央部が細くなり過ぎると、加熱ローラと加圧ローラの圧接が中央部で弱くなり、加熱ローラによりトナー像が擦られ、トナー像は変形する。また、中央部での圧接が不十分になり、トナー像を定着させるために十分なエネルギーを与えることが出来ない。
【０００８】
第二に、印刷中の用紙の走行が不安定になることである。加熱ローラ及び加圧ローラの中央部が細くなり過ぎると、加熱ローラ及び加圧ローラの圧接部で中央から両端部へ用紙を引張る力が強くなるため、幅の狭い用紙を印刷すると、用紙の走行が不安定となる。
【０００９】
従って、加熱ローラ及び加圧ローラの逆クラウン形状を用いた場合、両端部に対して中央部をあまり細くできず、その結果、用紙の歪の矯正を十分に実施することができず、用紙シワの発生が散見される。
【００１０】
なお、印刷停止中に用紙を予熱板から離間させる方法により、熱の加わる箇所部分と加わらない箇所を無くす構成も知られてはいるが、大きく離間させなければ効果が薄く、且つ、用紙または予熱板の全体を離間させるには大掛かりな装置が必要となり、また印刷再開時にそれぞれを定位置に調整する必要もあり、容易かつ安価に実施し得る構成では無い。また、印刷停止時の予熱板の温度を下げることも考えられるが、一度予熱板の温度を下げてしまうと、印刷再開の時には予熱板を印刷に必要な温度にまで加熱する時間を要する上に、結局用紙を加熱することになり、適当では無い。
【特許文献１】
特開平１−１９５４７９号公報
【特許文献２】
特開昭５３−９１２７号公報
【００１１】
【発明が解決しようとする課題】
本発明の課題は、加熱ローラと加圧ローラを逆クラウン形状とする以外に、用紙の歪を矯正する機構を設け、定着部での印刷品質の悪化を防止したうえ、用紙シワの発生を防ぐことである。
【００１２】
【課題を解決するための手段】
上記課題を解決するため、本発明では、用紙を加熱してトナーを定着させる加熱ローラと、加熱ローラと対になって用紙を加圧する加圧ローラと、前記加熱ローラ及び加圧ローラに対し用紙の搬送方向上流に設置され、用紙に予熱を与える予熱板とを有する連続用紙電子写真印刷装置の定着装置において、前記加熱ローラ及び加圧ローラによる圧接部と前記予熱板との間に、用紙幅以上の幅を有する案内板を設けたことを特徴とする。
【００１３】
また、前記案内板は、予熱板の端部に設けられたことを特徴とする。
【００１４】
また、前記案内板は、予熱板と用紙とが摺動する面よりも用紙側に突出し、且つ用紙と当接する面の形状が曲面を有することを特徴とする。
【００１５】
また、加熱ローラおよび加圧ローラの回転により張力を増した用紙の張力により、用紙と接する予熱板の端面と同じ面と、前記案内板の用紙と当接する面とが同一平面となる剛性を有する案内板であることを特徴とする。
【００１６】
さらに、前記定着装置を備えることを特徴とする。
【００１７】
これらにより、加熱ローラと加圧ローラによる圧接部と予熱板の間に、用紙に押し付け力が作用する構成となり、加熱ローラと加圧ローラによる圧接部入り口での用紙の歪が無くなる。
【００１８】
【発明の実施の形態】
以下、図面を参照して本発明を説明する。
【００１９】
図２は、本発明による定着装置の停止中の概略図である。
【００２０】
トナー像がのった用紙５は、予熱板１との密着を高めるために設置された用紙吸引板２に吸引された後、予熱板１で加熱され、加熱ローラ３と加圧ローラ４による圧接部で加熱加圧される定着工程となっている。
【００２１】
この定着工程の過程で、用紙シワが発生する加熱ローラ３と加圧ローラ４による圧接部の入り口に、用紙を押し付ける力が働くように、バネ性を有する案内板６を取り付けてある。この案内板６は、用紙幅全域に渡って同一断面を形成する。
【００２２】
図１は、本発明による定着装置の印刷中の概略図である。また、図３は案内板の作用を示す部分図である。
【００２３】
印刷開始時に、予熱板１、用紙吸引板２、加圧ローラ４及び案内板６などにより構成される予熱板機構部は、揺動カム７の回転により上方へ押上げられ、加圧ローラ４は加熱ローラ３に圧接する。加熱ローラ３が回転すると、用紙吸引板２上での吸引力が抵抗となり用紙に張力が発生する。この張力により、案内板６は押し込まれ、案内板６が用紙を押す力が発生する。これにより、波打ちそうになる用紙が、案内板６に押し当ることにより、案内板６に沿って平らに均される。
【００２４】
印刷停止中に予熱板１上にあった用紙５と予熱板１上に無かった用紙の境界部の歪は、前記案内板に習い矯正されて加圧ローラ４と加熱ローラ３の圧接部に入って行く。
【００２５】
従って、加熱ローラ３と加圧ローラ４による圧接部では、用紙に用紙シワの原因となる歪が存在しなくなるため、用紙シワの発生を防止する。
【００２６】
【発明の効果】
本発明によれば、定着部での印刷品質の悪化、及び用紙シワの発生を防ぐことが可能となる。
【図面の簡単な説明】
【図１】本発明による定着装置の印刷中の概略図である。
【図２】本発明による定着装置の停止中の概略図である。
【図３】本発明による案内板の作用を示す部分図である。
【符号の説明】
１は予熱板、２は用紙吸引板、３は加熱ローラ、４は加圧ローラ、５は用紙、６は案内板、７は揺動カム、８は用紙排出ローラ、９はプレッシャローラである。
【図１】
2004252239.tif 000003
【図２】
2004252239.tif 000004
【図３】
2004252239.tif 000005